(57)【要約】【課題】ハーブ製品の品質を低下させることなく、多量のハーブ製品関連用品をコンパクトに収納、保管することができ、また、必要に応じ任意の場所に移動できるようにしたハーブ製品用キット（キット内部にハーブ製品関連用品を有し、キットとハーブ製品関連用品とがセットで販売される商品形態を含む）を提供すること。【解決手段】正面側が開口され、内部に複数種のハーブ製品保存容器を載置する複数段の棚を有する第１のラックと、前記第１のラックと実質的に同一形状をなし、かつ前記複数段の棚の一部がハーブ製品の使用時に用いられる用具を載置する棚に設定された第２のラックとを開閉可能に設け、前記開口された正面側同士が対面して内部が閉じられるように構成する。【選択図】        図１
2004243031.tif 000002
【特許請求の範囲】
【請求項１】
正面側が開口され、内部に複数種のハーブ製品保存容器を載置する複数段の棚を有する第１のラックと、前記第１のラックと実質的に同一形状をなし、かつ前記複数段の棚の一部が前記ハーブ製品の使用時に用いられる用具を載置する棚に設定された第２のラックとを開閉可能に設け、前記開口された正面側同士が対面して内部が閉じられるように構成したことを特徴とするハーブ製品用キット。
【請求項２】
前記第１及び第２のラックの下端部にはキャスタが設けられていることを特徴とする請求項１に記載のハーブ製品用キット。
【請求項３】
前記ハーブ製品用具を載置する棚は正面手前側に引き出し可能に設けられていることを特徴とする請求項１又は請求項２に記載のハーブ製品用キット。
【請求項４】
前記ハーブ製品保存容器を載置する棚の前方には該保存容器の転倒、落下防止用のステーが設けられていることを特徴とする請求項１ないし請求項３に記載のハーブ製品用キット。
【請求項５】
前記ハーブ製品保存容器はガラス瓶から成り、前記ステーは丸棒から成ることを特徴とする請求項４に記載のハーブ製品用キット。
【発明の詳細な説明】
【０００１】
【発明の属する技術分野】
本発明は、ハーブティー、エッセンシャルオイル、ベジタブルオイル、あるいはハーブ基礎化粧品等のハーブ製品の収納具に関し、さらに詳細には、ハーブ製品を種類毎に保存した複数個の容器（以下、「ハーブ製品保存容器」という）、及び、該ハーブ製品の使用時に用いられる器具（以下、「ハーブ製品用具」という）を内部にコンパクトに収納できるようにしたハーブ製品用キットに関する。
【０００２】
なお、本発明は、上記ハーブ製品保存容器及びハーブ製品用具等のハーブ製品関連用品を収納、保管するキットそのものに限定されるものではなく、当該キット内部に上記ハーブ製品関連用品を有し、キットとハーブ製品関連用品とがセットで販売される商品形態を含むものである。また、本発明においては、上記ハーブ製品保存容器として、例えば必要に応じハーブティー等のハーブ製品に添加されるフルーツフレーバーを保存した容器（以下、「フルーツフレーバー保存容器」という）等の容器をも含むものである。
【従来の技術】
【０００３】
上述したようなハーブ製品、とくにその代表であるハーブティーは、特有の色と味と香りがあり、その種類も数十種類以上と多く、また、薬効成分があって健康と美容にも効果がある等の理由により、最近、このようなハーブティーを専門店や喫茶店、あるいは一般家庭で愛飲する人が増えている。
【０００４】
さらにまた、上述したようにハーブティーは色、味、香りに加え薬効が種類毎に異なることから、これらの種類の異なるハーブティー同士を適量ずつブレンドし、必要に応じ、これにフルーツフレーバーを加えて味覚を楽しむ愛飲家が多くなっている。中でも、このようなハーブティー同士の組合せは無限大に近く、ブレンドにより新たな効果の発見ができることから、これを趣味としている人も多い。このようなハーブティーは、ハーブティー専門店や喫茶店等の店のほか、最近では一般家庭においても飲用されている。また、同様な理由により、エッセンシャルオイル、ベジタブルオイル、あるいはハーブ基礎化粧品等のハーブ製品も多くの人に愛用されている。
【０００５】
しかし、このようなハーブティーを始め、ハーブ製品は保存条件により色や味、あるいは香り等の品質が低下するために、保存、保管に関しては特別な配慮が必要である。とくに、直射日光の当たる場所や高温多湿の場所ではこの品質の低下が顕著となるため、通常、防湿紙やプラスチック製の箱や袋、あるいはガラス瓶等の密閉容器に収納されている。そして、このような密閉容器に収納されたハーブ製品、例えば上述したハーブティーはハーブティーの専門店や喫茶店、あるいは一般家庭において、ガラス戸棚や正面側が開口されたキャビネット等に収納され、保管されているのが一般である。
【０００６】
【発明が解決しようとする課題】
しかしながら、このようなガラス戸棚や正面側が開口されたキャビネットによる従来のハーブ製品収納具では、外光がガラス戸を介し、あるいは直接ハーブ製品保存容器に当たるため、器内のハーブ製品が光により変色するという欠点があった。また、周囲の温湿度の影響を受け易く、器内のハーブ製品が異常に乾燥したり逆に湿気を帯びてカビたりする懸念がある等の理由により、品質を保持しつつハーブ製品保存容器を長期に渡り（少なくとも賞味ないし消費期限内）収納、保管するには不向きであった。
【０００７】
さらにまた、上述したような従来のハーブ製品収納具は一定の場所に固定されて使用されるため所望の場所に自由に移動することができず、加えて、非常に多量のハーブ製品保存容器を収納、保管するとなればそれ相当の広い設置スペースが必要となる等の問題があった。
【０００８】
本発明は、このような実情に鑑みなされたもので、その目的とするところは、ハーブ製品の品質を低下させることなく、多量のハーブ製品関連用品をコンパクトに収納、保管することができ、また、必要に応じ任意の場所に移動できるようにしたハーブ製品用キット（キット内部にハーブ製品関連用品を有し、キットとハーブ製品関連用品とがセットで販売される商品形態を含む）を提供することにある。
【課題を解決するための手段】
【０００９】
本発明の上記目的は、正面側が開口され、内部に複数種のハーブ製品保存容器を載置する複数段の棚を有する第１のラックと、前記第１のラックと実質的に同一形状をなし、かつ前記複数段の棚の一部が前記ハーブ製品の使用時に用いられる用具を載置する棚に設定された第２のラックとを開閉可能に設け、前記開口された正面側同士が対面して内部が閉じられるように構成したことを特徴とするハーブ製品用キットを提供することにより達成される。
【００１０】
また、本発明の上記目的は、前記第１及び第２のラックの下端部にはキャスタが設けられていることを特徴とするハーブ製品用キットを提供することによって、より効果的に達成される。
【００１１】
また、本発明の上記目的は、前記ハーブ製品用具を載置する棚は正面手前側に引き出し可能に設けられていることを特徴とするハーブ製品用キットを提供することによって、より効果的に達成される。
【００１２】
また、本発明の上記目的は、前記ハーブ製品保存容器を載置する棚の前方には該保存容器の転倒、落下防止用のステーが設けられていることを特徴とするハーブ製品用キットを提供することによって、より効果的に達成される。
【００１３】
さらにまた、本発明の上記目的は、前記ハーブ製品保存容器はガラス瓶から成り、前記ステーは丸棒から成ることを特徴とするハーブ製品用キットを提供することによって、より効果的に達成される。
【００１４】
以下、本発明の内容を、本発明の最も好ましい実施形態である、ハーブ製品がハーブティーである場合を例に詳述する。なお本発明は、後述するように、必ずしもこの実施形態に限定されるものではない。
【００１５】
【発明の実施の形態】
図１は、本発明の一実施形態であるハーブティー用キット（以下、「キット」という）を略直角に開放し、正面斜め前方から見たときの斜視図であり、図２はこの平面図である。
【００１６】
本キット１は、木材（杉板）により周囲が閉鎖され、正面側に開口部１１を有する箱体の内部に、ハーブティーの保存容器であるガラス製のハーブティー瓶Ｂを載置する複数段（本実施例では５段）の棚１２が設けられた第１ラック１０と、前記第１ラック１０と同様に、周囲が閉鎖され、正面側に開口部２１を有する箱体の内部に、複数本のハーブティー瓶Ｂを載置する複数段の棚２２が設けられた第２ラック２０とが、両者間に付設されたヒンジ３０を介して、図１及び図２に矢印Ｘで示す方向に開閉可能に並設され、開口部１１と開口部２２とが対面することにより内部が閉じられるように構成されている。
【００１７】
図３は、このようにして両者が閉じられた状態を示したもので、（Ａ）は本キット１の左側面図、（Ｂ）は正面図、（Ｃ）は右側面図である。図示されるように、第１ラック１０及び第２ラック２０の各下端部には任意の方向に回動可能なキャスタＣが付設されており、第１ラック１０と第２ラック２０とが手動により楽に開閉できるようになっている。また、第１ラック１０と第２ラック２０の側部外側にはロック部材４０ａ、４０ｂが設けられており、ラック同士が閉じられたときに、図（Ａ）に示すようにロックされて両者を固定するようになっている。なお、第１ラック１０及び第２ラック２０の材質は、ハーブティーの保存条件や収納具としての商品価値の面から木材であることが望ましいが、この外、例えばプラスチック板あるいは金属板等も適用することが可能である。
【００１８】
図１に示すように、棚１２及び棚２２の前方、すなわち正面手前側には、夫々ハーブ瓶Ｂが転倒して落下することを防止する丸棒から成るステー１３及び２３が回転自在に支承されて張設されている。このように構成することにより、ハーブ瓶Ｂの棚１２，２２への着脱を容易かつ破損することなく行うことができる。なお、このステー１３、２３を固定式の角棒等で構成することも十分可能である。
【００１９】
本キット１では、複数段ある第２ラックの最下段の棚２２ｚが後述する一式のブレンド用具２５を載置する専用の棚として設定されており、この棚２２ｚの上面にはブレンド用具載置台２４が、図１に点線及び矢印Ｙで示すように、手前方向に引き出し可能に設けられている。
【００２０】
本実施例における上記一式のブレンド用具２５には、２個のハーブティーカップ２５ａ、２個の砂時計２５ｂ、２本のウッドスコップ２５ｃ、１台のハーブティースケール２５ｄが含まれ、この外、ハーブティーマニュアルが付随されている。なお、この一式のブレンド用具２５はこれらの用具に限られるものではなく、この外、例えばスプーンやティーカップ等の、ハーブティーを飲用する場合に必要な用具を適宜含めることができる。
【００２１】
上記ブレンド用具２５を載置する引き出し式のブレンド用具載置台２４には、図４に平面図で示すように、右側よりハーブティーカップ載置部２４ａ、砂時計載置部２４ｂ、ウッドスコップ載置部２４ｃ、ハーブティースケール載置部２４ｄが、夫々、用具の輪郭形状に合った形状及び載置可能な深さをもって台上面に刻設されている。
【００２２】
図５は、第２ラック２０の最下段の棚２２ｚに設けられた上記ブレンド用具載置台２４に上記ブレンド用具２５一式が載置され、その上方の棚２２には複数本（本実施例では１０本）のハーブティー瓶Ｂが載置されている様子を示した部分正面図である。なお、本実施例では棚２２にハーブティー保存容器であるハーブティー瓶Ｂを並べて載置するようにしているが、このハーブティー保存容器に代え、フルーツフレーバー保存容器を並べて載置するようにしてもよい。
【００２３】
以上のとおり、本キット１は、ハーブティー用品一式を収納した第１ラック１０と第２ラック２０とを手軽に合わせ閉じ、内部を密閉状態に保つことができるようになっているので、収納されているハーブティーやフルーツフレーバーの品質を良好状態に維持することができる。また、合わせ閉じることにより全体がコンパクトになるので設置スペースを取らず、さらにまた、所望の場所に自由に移動できるので非常に便利である。
【００２４】
以上、本発明の内容を、ハーブ製品用キツトがハーブティー用キットである場合を例に説明したが、本発明は必ずしもハーブ製品がハーブティーに限定されるものではなく、例えばハーブ原材料から抽出され、製品化されるエッセンシャルオイルやベジタブルオイル、あるいはハーブ基礎化粧品等のハーブ製品であってもよいことは前述したとおりである。
【００２５】
また、前記実施例では各ラックの下端部にキャスタを設け、移動可能としたが、ラック内部に収納される一式のハーブ製品関連用品が少量である場合にはこのキャスタを削除することも可能である。
【００２６】
また、ハーブ製品用具載置台は引き出し式とすることが望ましいが、これを棚の上面に固定するようにしてもよく、あるいはハーブ製品用具専用の載置棚を設けるようにしてもよい。
【００２７】
また、本発明においては、設置する棚の段数及びこれに付随するステーの数は収納、保管するハーブ製品関連用品の量により任意に設計し得るものであり、さらにまた、ハーブティーやフルーツフレーバー等のハーブ製品保存容器等もガラス瓶に限らず、例えばプラスチックや金属製のボトル等であっても適用が可能である。
【００２８】
【発明の効果】
以上に詳述したように、本発明によれば、ハーブ製品の品質を低下させることなく、多量のハーブ製品関連用品をコンパクトに収納、保管することができ、また、必要に応じ任意の場所に移動できるという実用上顕著な効果を奏する。
【００２９】
なお、本発明は、ハーブ製品関連用品を収納、保管するためのキットそのものに限定されるものではなく、当該キット内部にハーブ製品関連用品を有し、キットとハーブ製品関連用品とがセットで販売される商品形態を含むものであることは前述したとおりである。
【図面の簡単な説明】
【図１】本発明の実施例に係るハーブティー用キットを斜め前方から見た斜視図である。
【図２】図１の平面図である。
【図３】図１に示すハーブティー用キットの立面図で、（Ａ）は左側面図、（Ｂ）は正面図、（Ｃ）は左側面図ある。
【図４】ハーブティー用キット載置台の平面図である。
【図５】ハーブティー用キット及びハーブティー容器の載置状態を示す部分正面図である。
【符号の説明】
１                        ハーブティー用キット
１０                      第１ラック
１１                      開口部
１２                      棚
１３                      ステー
２０                      第２ラック
２１                      開口部
２２                      棚
２３                      ステー
２４                      ハーブティー用キット載置台
２５                      ブレンド用具
３０                      ヒンジ
４０                      ロック部材
Ｃ                        キャスタ
【図１】
2004243031.tif 000003
【図２】
2004243031.tif 000004
【図３】
2004243031.tif 000005
【図４】
2004243031.tif 000006
【図５】
2004243031.tif 000007